(57)【要約】    【課題】  高ズーム比で、広角端から望遠端における全ズーム範囲にわたり色収差を良好に補正し、全ズーム範囲において高い光学性能を有するズームレンズを得ること。    【解決手段】  物体側から像側へ順に、第１レンズ群、第２レンズ群、第３レンズ群、開口絞り、第４レンズ群を有するズームレンズであって、後群に含まれる部分分散比の最も高い材料よりなる正レンズＬｍの材料の部分分散比θＬｍ、開口絞りから像面までの距離ｄ、開口絞りから正レンズＬｍまでの距離ｄＬｍ、前群に含まれる正レンズの材料のアッベ数の平均値νＲｆｐ、部分分散比の平均値θＲｆｐ、前群に含まれる負レンズの材料のアッベ数の平均値νＲｆｎ、部分分散比の平均値θＲｆｎを各々適切に設定すること。【選択図】    図３
2015176118.tif 000002
【特許請求の範囲】
【請求項１】
物体側から像側へ順に、ズーミングのためには不動の正の屈折力の第１レンズ群、ズーミングに際して移動する負の屈折力の第２レンズ群、ズーミングに際して移動する正又は負の屈折力の第３レンズ群、開口絞り、ズーミングのためには不動の正の屈折力の第４レンズ群を有するズームレンズであって、
前記第４レンズ群において、近軸追跡における第ｉ番目のレンズ（薄肉レンズ）の軸上光線の光軸からの入射高をｈ＿ｉ、近軸追跡における第ｉ番目のレンズの軸外主光線の光軸からの入射高をｈ＿ｂａｒ＿ｉ、前記開口絞りから像面に至る光路中におけるレンズのうち、
ｈ＿ｂａｒ＿ｉ／ｈ＿ｉ≦０．０６
を満たすレンズ面を含むレンズ系を前群、それ以外のレンズ系を後群とするとき、
前記後群に含まれる部分分散比の最も高い材料よりなる正レンズＬｍの材料の部分分散比をθＬｍ、
前記開口絞りから像面までの距離をｄ、前記開口絞りから前記正レンズＬｍまでの距離をｄＬｍ、
前記前群に含まれる正レンズの材料のアッベ数の平均値をνＲｆｐ、部分分散比の平均値をθＲｆｐ、
前記前群に含まれる負レンズの材料のアッベ数の平均値をνＲｆｎ、部分分散比の平均値をθＲｆｎとするとき、
０．４２０＜ｄＬｍ／ｄ＜０．７１０
０．６３０＜θＬｍ＜０．６９０
２．１６×１０−３＜（θＲｆｎ−θＲｆｐ）／（νＲｆｐ−νＲｆｎ）＜３．１０×１０−３
なる条件式を満足することを特徴とするズームレンズ。
【請求項２】
前記後群に含まれる前記正レンズＬｍ以外の正レンズの材料のアッベ数の平均値をνＲｂｐ、部分分散比の平均値をθＲｂｐ、前記後群に含まれる負レンズの材料のアッベ数の平均値をνＲｂｎ、部分分散比の平均値をθＲｂｎとするとき、
２．００×１０−４＜（θＲｂｎ−θＲｂｐ）／（νＲｂｐ−νＲｂｎ）＜１．６０×１０−３
なる条件式を満足することを特徴とする請求項１のズームレンズ。
【請求項３】
前記前群の屈折力をφＲｆ、前記後群の屈折力をφＲｂとするとき、
０．１７＜φＲｂ／φＲｆ＜０．６１
なる条件式を満足することを特徴とする請求項１又は２のズームレンズ。
【請求項４】
前記前群の屈折力をφＲｆ、前記正レンズＬｍの屈折力をφＬｍとするとき、
０．２５＜φＬｍ／φＲｆ＜１．２０
なる条件式を満足することを特徴とする請求項１乃至３のいずれか１項のズームレンズ。
【請求項５】
前記第１レンズ群はフォーカシング用のレンズ系を有することを特徴とする請求項１乃至４のいずれか１項のズームレンズ。
【請求項６】
前記正レンズＬｍは前記後群のうちの最も像側に位置することを特徴する請求項１乃至５のいずれか１項のズームレンズ。
【請求項７】
前記前群は物体側から像側へ順に、正レンズ、正レンズ、正レンズと負レンズを接合した接合レンズ、正レンズより構成され、前記後群は物体側から像側へ順に、正レンズと負レンズを接合した接合レンズ、正レンズ、負レンズと正レンズを接合した接合レンズ、正レンズと負レンズを接合した接合レンズ、正レンズより構成されることを特徴とする請求項１乃至６のいずれか１項のズームレンズ。
【請求項８】
前記前群は物体側から像側へ順に、負レンズと正レンズを接合した接合レンズより構成され、前記後群は物体側から像側へ順に、正レンズと負レンズを接合した接合レンズ、正レンズと負レンズを接合した接合レンズ、正レンズより構成されることを特徴とする請求項１乃至６のいずれか１項のズームレンズ。
【請求項９】
広角端から望遠端へのズーミングに際して、前記第２レンズ群は像側へ移動し、前記第３レンズ群は物体側に凸状の軌跡で移動することを特徴とする請求項１乃至７のいずれか１項のズームレンズ。
【請求項１０】
広角端から望遠端へのズーミングに際して、前記第２レンズ群は像側へ移動し、前記第３レンズ群は像側へ凸状の軌跡で移動することを特徴とする請求項１乃至６，８のいずれか１項のズームレンズ。
【請求項１１】
請求項１乃至１０のいずれか１項のズームレンズと、
前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比でしかも高い光学性能を有したズームレンズが要望されている。大口径比、高ズーム比のズームレンズとして、最も物体側に正の屈折力のレンズ群を配置し、全体として４つのレンズ群より成るポジティブリード型の４群ズームレンズが知られている。この４群ズームレンズとして、物体側から像側へ順に合焦用の第１レンズ群、変倍用の負の屈折力の第２レンズ群、変倍に伴う像面変動を補正するための正又は負の屈折力の第３レンズ群、結像用の正の屈折力の第４レンズ群が知られている。
【０００３】
このタイプの４群ズームレンズにおいて、第４レンズ群の一部のレンズの材料のアッベ数を特定することにより、色収差、特に倍率色収差を良好に補正し、高い光学性能を得たズームレンズが知られている（特許文献１）。またこの４群ズームレンズにおいて、異常分散性を有する光学材料を用い、色収差を良好に補正し、高い光学性能を有した高ズーム比のズームレンズが知られている（特許文献２，３）。
【先行技術文献】
【特許文献】
【０００４】
【特許文献１】特開２０１０−２１７７３５号公報
【特許文献２】特開平８−１８４７５８号公報
【特許文献３】特開２００４−１０９９９３号公報
【発明の概要】
【発明が解決しようとする課題】
【０００５】
前述したポジティブリード型の４群ズームレンズは、高ズーム比が比較的容易である。しかしながら高ズーム比になると、諸収差の変動が多くなり、全ズーム領域で高い光学性能を得るのが難しくなってくる。特に倍率色収差及び軸上色収差等の色収差が多く発生してくる。
【０００６】
ポジティブリード型の４群ズームレンズにおいて、高ズーム比化を図りつつ、色収差を良好に補正し、高い光学性能を得るには、例えば結像用の第４レンズ群のレンズ構成を、適切に設定することが重要になっている。この第４レンズ群のレンズ構成が適切でないと、倍率色収差や軸上色収差の補正が困難となり、高ズーム比で全ズーム範囲で高い光学性能を得るのが困難になる。
【０００７】
本発明は、高ズーム比で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【０００８】
本発明のズームレンズは、物体側から像側へ順に、ズーミングのためには不動の正の屈折力の第１レンズ群、ズーミングに際して移動する負の屈折力の第２レンズ群、ズーミングに際して移動する正又は負の屈折力の第３レンズ群、開口絞り、ズーミングのためには不動の正の屈折力の第４レンズ群を有するズームレンズであって、前記第４レンズ群において、近軸追跡における第ｉ番目のレンズ（薄肉レンズ）の軸上光線の光軸からの入射高をｈ＿ｉ、近軸追跡における第ｉ番目のレンズの軸外主光線の光軸からの入射高をｈ＿ｂａｒ＿ｉ、前記開口絞りから像面に至る光路中におけるレンズのうち、
ｈ＿ｂａｒ＿ｉ／ｈ＿ｉ≦０．０６
を満たすレンズ面を含むレンズ系を前群、それ以外のレンズ系を後群とするとき、
前記後群に含まれる部分分散比の最も高い材料よりなる正レンズＬｍの材料の部分分散比をθＬｍ、前記開口絞りから像面までの距離をｄ、前記開口絞りから前記正レンズＬｍまでの距離をｄＬｍ、前記前群に含まれる正レンズの材料のアッベ数の平均値をνＲｆｐ、部分分散比の平均値をθＲｆｐ、前記前群に含まれる負レンズの材料のアッベ数の平均値をνＲｆｎ、部分分散比の平均値をθＲｆｎとするとき、
０．４２０＜ｄＬｍ／ｄ＜０．７１
０．６３０＜θＬｍ＜０．６９０
２．１６×１０−３＜（θＲｆｎ−θＲｆｐ）／（νＲｆｐ−νＲｆｎ）＜３．１０×１０−３
なる条件式を満足することを特徴としている。
【発明の効果】
【０００９】
本発明によれば、高ズーム比で、広角端から望遠端における全ズーム範囲にわたり色収差を良好に補正し、全ズーム範囲において高い光学性能を有するズームレンズ及びそれを有する撮像装置が得られる。
【図面の簡単な説明】
【００１０】
【図１】本発明のズームレンズの構成の模式図
【図２】倍率色収差の２次スペクトルの説明図
【図３】本発明の実施例１の広角端で、無限遠にフォーカスしているときのレンズ断面図
【図４】（Ａ），（Ｂ）  数値実施例１の広角端と望遠端において距離５ｍに合焦しているときの縦収差図
【図５】本発明の実施例２の広角端で、無限遠にフォーカスしているときのレンズ断面図
【図６】（Ａ），（Ｂ）  数値実施例２の広角端と望遠端において距離５ｍに合焦しているときの縦収差図
【図７】本発明の実施例３の広角端で、無限遠にフォーカスしているときのレンズ断面図
【図８】（Ａ），（Ｂ）  数値実施例３の広角端と望遠端において距離５ｍに合焦しているときの縦収差図
【図９】本発明の実施例４の広角端で、無限遠にフォーカスしているときのレンズ断面図
【図１０】（Ａ），（Ｂ）  数値実施例４の広角端と望遠端において距離５ｍに合焦しているときの縦収差図
【図１１】本発明の実施例５の広角端で、無限遠にフォーカスしているときのレンズ断面図
【図１２】（Ａ），（Ｂ）  数値実施例５の広角端と望遠端において距離５ｍに合焦しているときの縦収差図
【図１３】本発明の撮像装置の要部概略図
【発明を実施するための形態】
【００１１】
以下に、本発明の実施の形態を添付の図面に基づいて詳細に説明する。本発明のズームレンズは、物体側から像側へ順に、ズーミングのためには不動の正の屈折力の第１レンズ群、ズーミングに際して移動する負の屈折力の第２レンズ群を有する。更にズーミングに際して移動する正又は負の屈折力の第３レンズ群、開口絞り、ズーミングのためには不動の正の屈折力の第４レンズ群を有する。
【００１２】
図１は本発明のズームレンズの模式図である。図２は倍率色収差の２次スペクトルの説明図である。図３は本発明の実施例１（数値実施例１）の広角端で、無限遠にフォーカスしているときのレンズ断面図である。図４（Ａ），（Ｂ）は、数値実施例１の広角端と望遠端において距離５ｍに合焦しているときの縦収差図である。但し、物体距離の値は、後述する数値実施例をｍｍ単位で表したときの値である。物体距離は第１レンズ面からの距離である。以下、実施例２〜４については実施例１と同じく、物体距離は第１レンズ面からの距離である。実施例５については、物体距離は像面からの距離である。
【００１３】
図５は本発明の実施例２（数値実施例２）の広角端で、無限遠にフォーカスしているときのレンズ断面図である。図６（Ａ），（Ｂ）は、数値実施例２の広角端と望遠端において距離５ｍに合焦しているときの縦収差図である。図７は本発明の実施例３（数値実施例３）の広角端で、無限遠にフォーカスしているときのレンズ断面図である。図８（Ａ），（Ｂ）は、数値実施例３の広角端と望遠端において距離５ｍに合焦しているときの縦収差図である。
【００１４】
図９は本発明の実施例４（数値実施例４）の広角端で、無限遠にフォーカスしているときのレンズ断面図である。図１０（Ａ），（Ｂ）は、数値実施例４の広角端と望遠端において距離５ｍに合焦しているときの縦収差図である。図１１は本発明の実施例５（数値実施例５）の広角端で、無限遠にフォーカスしているときのレンズ断面図である。図１２（Ａ），（Ｂ）は、数値実施例５の広角端と望遠端において距離５ｍに合焦しているときの縦収差図である。図１３は本発明の撮像装置の要部概略図である。
【００１５】
レンズ断面図において、Ｕ１はズーミングに際して不動で、正の屈折力の第１レンズ群である。第１レンズ群Ｕ１はフォーカシング用のレンズ系を有する。フォーカシング用のレンズ系は第１レンズ群Ｕ１の全体又は一部の屈折力のあるレンズ系よりなっている。
【００１６】
Ｕ２はズーミングの際に移動する、負の屈折力の第２レンズ群（バリエータレンズ群）である。この第２レンズ群Ｕ２は光軸上を像面側へ移動することにより、広角端から望遠端への変倍を行っている。Ｕ３はズーミングに際して移動する、負又は正の屈折力の第３レンズ群（コンペンセーターレンズ群）である。この第３レンズ群Ｕ３は、第２群レンズ群Ｕ２の移動に連動して光軸上を移動して、変倍に伴う像面変動を補正している。ＳＰは開口絞りである。Ｕ４はズーミングに際して不動の正の屈折力の第４レンズ群（リレーレンズ群Ｒ）である。
【００１７】
開口絞りＳＰは第３レンズ群Ｕ３と第４レンズ群Ｕ４との間に配置されている。ＩＰは像面であり、固体撮像素子（光電変換素子）の撮像面に相当している。球面収差図において、実線はｅ線、二点鎖線はｇ線、一点鎖線はＣ線、点線はＦ線を示す。非点収差において点線はｅ線のメリディオナル像面、実線のｅ線のサジタル像面を示している。倍率色収差において二点鎖線はｇ線、一点鎖線はＣ線、点線はＦ線によってあらわしている。ＦｎｏはＦナンバー、ωは半画角（度）である。
【００１８】
収差図において、球面収差は０．２ｍｍ、非点収差は０．２ｍｍ、歪曲は５％、倍率色収差は、０．０５ｍｍのスケールで描いている。
【００１９】
まず、各実施例のズームレンズのレンズ構成の特徴について説明する。図１は各実施例のズームレンズの構成の特徴を示す模式図である。各実施例のズームレンズは、物体側から像側へ順に、変倍に際し移動するレンズ群を少なくとも２つ有する変倍群ＬＺと、開口絞りＳＰと、変倍のためには不動の正の屈折力のリレーレンズ群Ｒを有する。ここで変倍部ＬＺは第２レンズ群Ｕ２と第３レンズ群Ｕ３に相当する。リレーレンズ群Ｒは第４レンズ群Ｕ４に相当する。なお、リレーレンズ群Ｒは、マクロ撮影又はフランジバック調整のためには、光軸方向に移動してもよい。
【００２０】
各実施例において前群Ｒｆと後群Ｒｂの定義は後述する。近軸追跡（近軸光線追跡）における物体側から数えた第ｉ番目のレンズ（薄肉レンズ）の軸上光線の光軸からの入射高さをｈ＿ｉとし、近軸追跡における第ｉ番目のレンズの軸外主光線の光軸からの入射高さをｈ＿ｂａｒ＿ｉとする。また、近軸追跡における第ｉ番目のレンズの屈折力をφ＿ｉ、近軸追跡における第ｉ番目のレンズの材料のアッベ数をν＿ｉとする。近軸追跡はズームレンズの広角端の焦点距離が１．０になるよう正規化して行う。基準波長としてｅ線を用いる。
【００２１】
このときズームレンズの軸上色収差係数Ｌ及び倍率色収差係数Ｔは、
Ｌ＝Σ（ｈ＿ｉ×ｈ＿ｉ×φ＿ｉ／ν＿ｉ）              ・・・（ア）
Ｔ＝Σ（ｈ＿ｉ×ｈ＿ｂａｒ＿ｉ×φ＿ｉ／ν＿ｉ）      ・・・（イ）
と表すことができる。式（ア）及び式（イ）より、軸上色収差は入射高さｈ＿ｉの自乗に比例し、倍率色収差は入射高さｈと高さｈ＿ｂａｒ＿ｉに比例する。
【００２２】
開口絞りＳＰに近いレンズの入射高さｈ＿ｂａｒ＿ｉは、開口絞りＳＰから遠いレンズの入射高さｈ＿ｂａｒに比べ相対的に小さくなる。そこで、各実施例では、入射高さｈ＿ｉと入射高さｈ＿ｂａｒ＿ｉの比を用いて、倍率色収差の補正の分担度が低いレンズを前群Ｒｆ、分担度が高いレンズを後群Ｒｂとしている。
【００２３】
次に、各実施例のズームレンズの特徴について説明する。第４レンズ群Ｕ４において近軸追跡における第ｉ番目のレンズ（薄肉レンズ）の軸上光線の光軸からの入射高さをｈ＿ｉとし、近軸追跡における第ｉ番目のレンズの軸外主光線の光軸からの入射高さをｈ＿ｂａｒ＿ｉとする。開口絞りＳＰから像面までの光路中に位置する第４レンズ群Ｕ４において、
ｈ＿ｂａｒ＿ｉ／ｈ＿ｉ≦０．０６
を満たすレンズ面を含むレンズ系を前群Ｒｆ、満たすレンズ面を含まないレンズ系を後群Ｒｂ群とする。
【００２４】
後群Ｒｂで部分分散比が最も高い材料よりなる正レンズを正レンズＬｍとする。そして正レンズＬｍの材料の部分分散比をθＬｍ、開口絞りＳＰから像面までの距離をｄ、開口絞りＳＰから正レンズＬｍまでの距離（正レンズＬｍの物体側のレンズ面までの距離）をｄＬｍとする。
【００２５】
前群Ｒｆに含まれる正レンズの材料のアッベ数の平均値をνＲｆｐ、部分分散比の平均値をθＲｆｐとする。前群Ｒｆに含まれる負レンズの材料のアッベ数の平均値をνＲｆｎ、部分分散比の平均値をθＲｆｎとする。このとき、以下の条件式を満足する。
０．４２０＜ｄＬｍ／ｄ＜０．７１０    ・・・（１）
０．６３０＜θＬｍ＜０．６９０        ・・・（２）
２．１６×１０−３＜（θＲｆｎ−θＲｆｐ）／（νＲｆｐ−νＲｆｎ）＜３．１０×１０−３
・・・（３）
このように構成することにより、全ズーム範囲において高い光学性能を持ったズームレンズを得ている。
【００２６】
各実施例のズームレンズでは、更に好ましくは条件式（１）乃至（３）に加えて次の条件式のうち１以上を満足するのが良い。後群Ｒｂに含まれる正レンズＬｍ以外の正レンズの材料のアッベ数の平均値をνＲｂｐ、部分分散比の平均値をθＲｂｐ、後群Ｒｂに含まれる負レンズの材料のアッベ数の平均値をνＲｂｎ、部分分散比の平均値をθＲｂｎとする。前群Ｒｆの屈折力をφＲｆ、後群Ｒｂの屈折力をφＲｂとする。正レンズＬｍの屈折力をφＬｍとする。このとき、次の条件式のうち１以上を満足するのが良い。
２．００×１０−４＜（θＲｂｎ−θＲｂｐ）／（νＲｂｐ−νＲｂｎ）＜１．６０×１０−３
・・・（４）
０．１７＜φＲｂ／φＲｆ＜０．６１        ・・・（５）
０．２５＜φＬｍ／φＲｆ＜１．２０        ・・・（６）
ここで、材料のアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）
θ＝（Ｎｇ−ＮＦ）／（ＮＦ−ＮＣ）
である。
【００２７】
条件式（１）乃至（６）は、前群Ｒｆと後群Ｒｂの光学材料の分散特性、焦点距離（屈折力）そして光学配置等を規定する。これらの条件式を満足することにより、広角端における倍率色収差の二次スペクトルの補正と望遠端における軸上色収差の補正を良好に行い、ズーム全域にわたり高い光学性能を得ている。
【００２８】
各実施例のズームレンズにおける色収差の補正について説明する。ズームレンズにおいてズーム全域において高い光学性能を得るためには、広角端において倍率色収差および望遠端において軸上色収差を良好に補正することが重要となる。広角端において倍率色収差の補正と望遠端において軸上色収差の補正を良好に行うには、適切な材料の選択とレンズ枚数を適切に設定することが重要となる。
【００２９】
ここでは、Ｃ線に対するＦ線の軸上色収差と倍率色収差を、それぞれ軸上色収差の一次スペクトル、倍率色収差の一次スペクトルと定義する。また、それぞれの一次スペクトルをゼロに補正した後に残存するＦ線に対するｇ線の軸上色収差と倍率色収差を、それぞれ軸上色収差の二次スペクトル、倍率色収差の二次スペクトルと定義する。レンズ全系の軸上色収差量Δｆ、倍率色収差量ΔＹは、以下の式（ウ）及び式（エ）で与えられる。
【００３０】
Δｆ＝−ｆ×Ｌ    ・・・（ウ）
ΔＹ＝−Ｙ×Ｔ    ・・・（エ）
但し、レンズ全系の焦点距離をｆ、像高をＹとする。Ｌは前述の軸上色収差係数、Ｔは前述の倍率色収差係数である。
【００３１】
今、式（ア）及び式（イ）で用いているアッベ数ν＿ｉの部分分散Ｎｇ−ＮＦと考える。式（ア）及び式（イ）はそれぞれ軸上色収差、倍率色収差の二次スペクトルに関する色収差係数となり、式（ウ）及び式（エ）はそれぞれ軸上色収差、倍率色収差の二次スペクトル量を表す。式（ア）及び式（ウ）より、軸上色収差の二次スペクトルの各レンズの分担値は、軸上光線の入射高さの二乗、レンズのパワー及びｇ線とＦ線の屈折率差に比例して大きくなる。
【００３２】
式（イ）及び式（エ）より、倍率色収差の二次スペクトルの各レンズの分担値は、軸上光線の入射高さ、軸外光線の入射高さ、レンズのパワー及びｇ線とＦ線の屈折率差に比例して大きくなる。さらに式（ア）及び式（イ）より、Ｆ線に対するｇ線の軸上色収差係数の各レンズの分担値とＦ線に対するｇ線の倍率色収差係数の各レンズの分担値の比は、軸上光線の入射高さと軸外光線の入射高さの比で決まる。従来のズームレンズにおいては、図２のように広角端において倍率色収差の一次スペクトルをゼロにすると、倍率色収差の二次スペクトルが正の方向に残存してしまうという傾向がある。
【００３３】
これを補正するためには、倍率色収差の補正の分担度が高い後群Ｒｂにおいて、軸上光線と軸外光線の入射高さの比が適切な位置に、ｇ線とＦ線の屈折率差の絶対値が大きい材料からなるレンズを、適切なパワーを有するように構成して配置すればよい。これによれば広角端における倍率色収差の二次スペクトルを補正することが容易となる。また開口絞りＳＰに近い前群Ｒｆを、適切な硝材で、適切なパワーを有するように構成することで、ズーム全域における軸上色収差の二次スペクトルの補正と、広角端において倍率色収差の二次スペクトルの補正を良好に行っている。
【００３４】
各実施例のズームレンズでは、ズーム全域において軸上色収差の二次スペクトルの補正と、広角端において倍率色収差の二次スペクトルの補正を良好に行っている。
【００３５】
次に前述の各条件式の技術的意味について説明する。条件式（１）は正レンズＬｍの光路中の配置位置の範囲を規定することで、ズーム全域において、良好な光学性能を達成するための条件を規定している。条件式（１）の上限を超えると、広角端において倍率色収差の二次スペクトルが過剰補正になり、ズーム全域で軸上色収差と倍率色収差をバランス良く補正するのが困難となる。
【００３６】
条件式（１）の下限を超えると、倍率色収差の二次スペクトルが補正不足になり、ズーム全域で色収差を良好に補正することが困難となる。条件式（１）において、距離ｄは第４レンズ群Ｕ４に色分解プリズムやフィルター、ダミーガラスがガラスブロックとして挿入される場合、これらガラスブロックを通過する光路長を空気換算することにより求めた、開口絞りから像面までの距離である。
【００３７】
条件式（２）は正レンズＬｍの材料の部分分散比の範囲を規定することにより、ズーム全域において、良好な光学性能を達成するための条件を規定している。条件式（２）の上限を超えると、広角端において倍率色収差の二次スペクトルが過剰補正になり、ズーム全域で軸上色収差と倍率色収差をバランス良く補正するのが困難となる。条件式（２）の下限を超えると、広角端において倍率色収差の二次スペクトルが補正不足になり、ズーム全域で色収差を良好に補正することが困難となる。
【００３８】
条件式（３）は前群Ｒｆに含まれる正レンズと、負レンズの材料のアッベ数の平均値、部分分散比の平均値の比の範囲を規定することにより、ズーム全域において、良好な光学性能を達成するための条件を規定している。条件式（３）の上限を超えると、望遠端において軸上色収差の二次スペクトルが補正不足になり、ズーム全域で色収差を良好に補正することが困難となる。条件式（３）の下限を超えると、望遠端において軸上色収差の二次スペクトルが過剰補正となり、ズーム全域で軸上色収差と倍率色収差をバランス良く補正するのが困難となる。
【００３９】
条件式（４）は、後群Ｒｂに含まれる正レンズＬｍ以外の正レンズと、負レンズの材料のアッベ数の平均値、部分分散比の平均値の比の範囲を規定することにより、主に広角端において倍率色収差の二次スペクトルを適切に補正するための条件を規定している。条件式（４）の上限を超えると、広角端において倍率色収差の二次スペクトルが補正不足となり、ズーム全域で色収差を良好に補正することが困難となる。条件式（４）の下限を超えると、望遠端において軸上色収差の二次スペクトルが過剰補正となり、ズーム全域で軸上色収差と倍率色収差をバランス良く補正するのが困難となる。
【００４０】
条件式（５）は前群Ｒｆの屈折力と後群Ｒｂの屈折力の比の範囲を規定することにより、広角端において倍率色収差の補正と望遠端において軸上色収差の補正を適切に行うための条件を規定している。条件式（５）の上限を超えると、広角端において倍率色収差の二次スペクトルが過剰補正となり、ズーム全域で軸上色収差と倍率色収差をバランス良く補正するのが困難となる。条件式（５）の下限を超えると、望遠端において軸上色収差の二次スペクトルが過剰補正となり、ズーム全域で軸上色収差と倍率色収差をバランス良く補正するのが困難となる。
【００４１】
条件式（６）は正レンズＬｍの屈折力と前群、Ｒｆの屈折力の比の範囲を規定することにより、広角端において倍率色収差を良好に補正するための条件を規定している。条件式（６）の上限を超えると、広角端において倍率色収差の二次スペクトルが過剰補正となり、ズーム全域で軸上色収差と倍率色収差をバランス良く補正するのが困難となる。条件式（６）の下限を超えると、望遠端において軸上色収差の二次スペクトルが過剰補正となり、ズーム全域で軸上色収差と倍率色収差をバランス良く補正するのが困難となる。更に好ましくは前述の各条件式の数値範囲を次の如く設定するのが好ましい。
【００４２】
０．４２１＜ｄＬｍ／ｄ＜０．７００  ・・・（１ａ）
０．６４０＜θＬｍ＜０．６７３      ・・・（２ａ）
２．１７×１０−３＜（θＲｆｎ−θＲｆｐ）／（νＲｆｐ−νＲｆｎ）＜３．００×１０−３
・・・（３ａ）
３．００×１０−４＜（θＲｂｎ−θＲｂｐ）／（νＲｂｐ−νＲｂｎ）＜１．５０×１０−３
・・・（４ａ）
０．１８＜φＲｂ／φＲｆ＜０．６０        ・・・（５ａ）
０．３０＜φＬｍ／φＲｆ＜１．１５        ・・・（６ａ）
【００４３】
次に各実施例の特徴について説明する。
［実施例１］
図３の実施例１のレンズ断面図において、第１レンズ群Ｕ１はズーミングに際して不動で、正の屈折力を有している。第１レンズ群Ｕ１の全体又は一部の屈折力のあるレンズ系を移動することにより、フォーカシングを行っている。第２レンズ群Ｕ２はズーミングの際に移動する、負の屈折力のレンズ群（バリエータレンズ群）である。この第２レンズ群Ｕ２は光軸上を像面側へ移動することにより、広角端から望遠端への変倍を行っている。
【００４４】
第３レンズ群Ｕ３はズーミング時に際して移動する、負の屈折力のレンズ群（コンペンセーターレンズ群）である。この第３レンズ群Ｕ３は、第２群レンズ群Ｕ２の移動に連動して光軸上を物体側に凸状の軌跡で移動して、変倍に伴う像面変動を補正している。ＳＰは開口絞りであり、第３レンズ群Ｕ３と第４レンズ群Ｕ４との間に配置されている。第４レンズ群Ｕ４はズーミングに際して不動で、結像のための正の屈折力を有している。
【００４５】
次に、本実施例における第４レンズ群Ｕ４のレンズ構成について説明する。第４レンズ群Ｕ４は数値実施例１において第３４面〜第５５面に対応し、第３４面〜第４２面の前群Ｒｆと、第４３面〜第５５面の後群ＲＢからなる。Ｌｍは、後群Ｒｂ内で材料の部分分散比が最も高い正の屈折力のレンズである。
【００４６】
本実施例はいずれの条件式も満足しており、これにより、広角端において倍率色収差を良好に補正し、かつズーム全域において軸上色収差を良好に補正している。
【００４７】
［実施例２］
図５の実施例２のズームレンズのレンズ群の数、各レンズ群の屈折力、ズーミングにおける各レンズ群の移動条件等のズームタイプは実施例１と同じである。
【００４８】
次に、本実施例における第４レンズ群Ｕ４のレンズ構成について説明する。第４レンズ群Ｕ４は数値実施例２において第３４面〜第５５面に対応し、第３４面〜第４２面の前群Ｒｆと、第４３面〜第５５面の後群ＲＢ群からなる。Ｌｍは、後群Ｒｂ内で材料の部分分散比が最も高い、正の屈折力のレンズである。
【００４９】
本実施例はいずれの条件式も満足しており、これにより、実施例１と同様の効果を得ている。
【００５０】
［実施例３］
図７の実施例３のズームタイプは実施例１と同じである。次に、本実施例における第４レンズ群Ｕ４のレンズ構成について説明する。第４レンズ群Ｕ４は数値実施例３において第３５面〜第５６面に対応し、第３５面〜第４３面の前群Ｒｆと、第４４面〜第５６面の後群ＲＢからなる。Ｌｍは、後群Ｒｂ内で材料の部分分散比が最も高い、正の屈折力のレンズである。
【００５１】
本実施例はいずれの条件式も満足しており、これにより、実施例１と同様の効果を得ている。
【００５２】
［実施例４］
図９の実施例４のズームタイプは実施例１と同じである。次に、本実施例における第４レンズ群Ｕ４のレンズ構成について説明する。第４レンズ群Ｕ４は数値実施例４において第３５面〜第５６面に対応し、第３５面〜第４３面の前群Ｒｆと、第４４面〜第５６面の後群ＲＢ群からなる。Ｌｍは、後群Ｒｂ内で材料の部分分散比が最も高く、正の屈折力のレンズである。
【００５３】
本実施例はいずれの条件式も満足しており、これにより、実施例１と同様の効果を得ている。
【００５４】
［実施例５］
図１１の実施例５のレンズ断面図において、第１レンズ群Ｕ１はズーミングに際して不動で、正の屈折力を有している。第１レンズ群Ｕ１の全体又は一部の屈折力のあるレンズ系を移動することにより、フォーカシングを行っている。第２レンズ群Ｕ２はズーミングの際に移動する、負の屈折力のレンズ群（バリエータレンズ群）である。この第２レンズ群Ｕ２は光軸上を像面側へ移動することにより、広角端から望遠端への変倍を行っている。
【００５５】
第３レンズ群Ｕ３はズーミングに際して移動する、正の屈折力のレンズ群（コンペンセーターレンズ群）である。この第３レンズ群Ｕ３は、第２群レンズ群Ｕ２の移動に連動して光軸上を像側に凸状の軌跡で移動して、変倍に伴う像面変動を補正している。ＳＰは開口絞りであり、第３レンズ群Ｕ３と第４レンズ群Ｕ４との間に配置されている。第４レンズ群Ｕ４はズーミングに際して不動で、結像のための正の屈折力を有している。
【００５６】
実施例５は実施例１に比べて第３レンズ群Ｕ３の屈折力が異なっている。又ズーミングに際しての第３レンズ群Ｕ３の移動軌跡も異なっている。
【００５７】
次に、本実施例における第４レンズ群Ｕ４のレンズ構成について説明する。第４レンズ群Ｕ４は数値実施例５において第３１面〜第４１面に対応し、第３１面〜第３３面の前群Ｒｆ群と、第３４面〜第４１面の後群ＲＢからなる。Ｌｍは、後群Ｒｂ内で材料の部分分散比が最も高い、正の屈折力を有するレンズである。本実施例はいずれの条件式も満足しており、実施例１と同様の効果を得ている。実施例１，４，５において、正レンズＬｍは後群Ｒｂ中の最も像側に位置するレンズである。
【００５８】
実施例１乃至４において、前群Ｒｆは物体側から像側へ順に、正レンズ、正レンズ、正レンズと負レンズを接合した接合レンズ、正レンズより構成される。後群Ｒｂは物体側から像側へ順に、正レンズと負レンズを接合した接合レンズ、正レンズ、負レンズと正レンズを接合した接合レンズ、正レンズと負レンズを接合した接合レンズ、正レンズより構成される。
【００５９】
実施例５においては、前群Ｒｆは物体側から像側へ順に、負レンズと正レンズを接合した接合レンズより構成されている。後群Ｒｂは物体側から像側へ順に、正レンズと負レンズを接合した接合レンズ、正レンズと負レンズを接合した接合レンズ、正レンズより構成される。
【００６０】
図１３は各実施例のズームレンズを撮像光学系として用いた撮像装置１２５（テレビカメラシステム）の要部概略図である。図１３において１０１は実施例１乃至５のいずれか１つのズームレンズである。１２４はカメラ本体であり、ズームレンズ１０１はカメラ本体１２４に対して着脱可能になっている。１２５はカメラ１２４にズームレンズ１０１を装着することにより構成される撮像装置（撮像システム）である。尚、ここでズームレンズ１０１とカメラ本体１２４とは一体的に構成しても構わない。
【００６１】
ズームレンズ１０１は第１レンズ群Ｆ、変倍部ＬＺ、結像用のリレーレンズ群Ｒ（第４レンズ群Ｕ４）を有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。ＳＰは開口絞りである。
【００６２】
１１４、１１５は、各々第１レンズ群Ｆ、変倍部ＬＺを光軸方向に駆動するヘリコイドやカム等の駆動機構である。１１６乃至１１８は駆動機構１１４、１１５及び開口絞りＳＰを電動駆動するモータ（駆動手段）である。１１９乃至１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【００６３】
カメラ本体１２４において、１０９はカメラ本体１２４内の光学フィルタや色分解プリズムに相当するガラスブロックである。１１０はズームレンズ１０１によって形成された被写体像を受光するＣＣＤセンサやＣＭＯＳセンサ等の固体撮像素子（光電変換素子）である。また、１１１、１２２はカメラ本体１２４及びズームレンズ本体１０１の各種の駆動を制御するＣＰＵである。
【００６４】
このように本発明のズームレンズをテレビカメラに適用することにより、高い光学性能を有する撮像装置を実現している。
【００６５】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉはそれぞれ第ｉ番目の光学部材の屈折率とアッベ数である。ＢＦはバックフォーカスである。非球面形状は光軸方向にＸ軸、光軸と垂直方向にＨ軸、光の進行方向を正とし、Ｒを近軸曲率半径、ｋを円錐常数、Ａ4、Ａ6、Ａ8、Ａ10、Ａ12、Ａ14、Ａ16をそれぞれ非球面係数としたとき、次式で表している。
【００６６】
【数１】
2015176118.tif 000003
【００６７】
で表される。又、例えば「ｅ−Ｚ」は「×１０−Ｚ」を意味する。＊印は非球面であることを示している。各実施例と前述した条件式との対応を表１に示す。 
【００６８】
（数値実施例１）
単位 mm
面データ
面番号      r         d         nd       νd      有効径    部分分散比
1*      911.475      4.5      1.7725     49.6    118.67      0.5521 
2        70.091     25.21                         96.56      
3      -298.958      4.2      1.6516     58.5     96.01      0.5426 
4       479.689      1                            95.25      
5       139.728      7.86     1.80809    22.8     96.27      0.6307 
6       249.448      6.04                         94.9      
7       246.156     12.57     1.48749    70.2     95.07      0.5300 
8*     -392.58       0.2                          94.63      
9       335.038      3.7      1.801      35       94.08      0.5863 
10      167.705      9.41     1.43875    94.9     94.23      0.5343 
11      388.693     14.73                         94.39      
12      287.452     15.83     1.497      81.5     94.84      0.5374 
13     -167.848      0.2                          95.03      
14      126.264      3.5      1.801      35       93.59      0.5863 
15       75.512      1.7                          92.55      
16       77.716     30.51     1.43875    94.9     93.49      0.5343 
17     -133.309      0.2                          94.21      
18      140.368     10.02     1.618      63.3     91.96      0.5441 
19      324.842      (可変)                       90.96      
20       50.717      2        1.7725     49.6     41.93      0.5521 
21       33.561      9.07                         37.69      
22      -69.598      2        1.60311    60.6     36.44      0.5414 
23       50.664      7.79                         34      
24      -63.254      5.39     1.72047    34.7     34.25      0.5834 
25      -35.905      1.15                         34.73      
26      -36.198      2        1.618      63.3     34.59      0.5441 
27      602.025      0.2                          34.26      
28       98.362      5.22     1.72047    34.7     34.26      0.5834 
29     -203.314      (可変)                       33.75      
30      -80.519      1.7      1.7725     49.6     33.78      0.5521 
31      148.442      4.28     1.84666    23.8     35.06      0.6205 
32     -711.419      (可変)                       35.84      
33(絞り)    ∞       2.7                          37.03      
34     -276.05       4.37     1.64       60.1     37.94      0.5370 
35      -85.467      0.2                          38.84      
36      232.219      4.85     1.64       60.1     39.6       0.5370 
37     -284.206      0.2                          39.84      
38       88.258      8.99     1.64       60.1     39.93      0.5370 
39      -67.152      1.94     1.68893    31.1     39.32      0.6003 
40      591.515      0.2                          38.6      
41       62.22       5.3      1.64       60.1     38.05      0.5370 
42       84.322     28.82                         36.48      
43     -187.346      6.96     1.84666    23.8     30.22      0.6205 
44      -32.033      1.7      1.883      40.8     30.48      0.5667 
45       76.406      2.99                         31.1      
46       40.475      8.18     1.48749    70.2     34.02      0.5300 
47      -97.483      6.41                         34.14      
48      200.529      1.7      1.8061     33.3     33.15      0.5881 
49       36.319      7.79     1.48749    70.2     32.48      0.5300 
50     -146.099      0.2                          32.62      
51       42.715     12.89     1.48749    70.2     32.44      0.5300 
52      -30.343      1.7      1.78472    25.7     30.85      0.6161 
53       40.764     10.04                         30.58      
54       61.976      7.88     1.80809    22.8     37.12      0.6307 
55     -119.359     50.00                         37.29      
像面      ∞                              
【００６９】
非球面データ
第1面
K = 0.00000e+000  A 4= 6.74663e-009  A 6= 5.74003e-013  
A 8= 4.57795e-015  A10=-1.21425e-018  A12=-5.93047e-023  
A14= 3.27904e-026  A16= 3.01722e-030  
第8面
K = 0.00000e+000  A 4= 1.11260e-007  A 6=-2.86288e-012  
A 8= 2.20866e-015  A10=-9.09716e-019  A12= 5.82976e-023  
A14= 7.08954e-026  A16=-2.02507e-029  
【００７０】
各種データ
ズーム比     5.00 
広角      望遠
焦点距離      25.00   125.00  
Fナンバー      2.90     2.90  
半画角（度）  29.42     6.44  
像高          14.10    14.10  
レンズ全長   446.92   446.92  
BF            50.00    50.00  
d19            5.03    70.53  
d29           61.57     3.16  
d32           12.12     5.02  
【００７１】
（数値実施例２）
単位 mm
面データ
面番号      r           d         nd        νd       有効径     部分分散比
1*     2136.477      4.5      1.7725       49.6     118.5       0.5521 
2        77.102     23.58                            96.77      
3      -262.316      4.2      1.6516       58.5      96.17      0.5426 
4       438.504      1.01                            95.33      
5       151.432      8.45     1.80809      22.8      96.3       0.6307 
6       337.008      7.55                            94.97      
7       583.754      7.54     1.48749      70.2      95.63      0.5300 
8*    -4431.103      0.2                             95.48      
9       283.511      3.7      1.801        35        95.22      0.5863 
10      155.095      2.76                            94.63      
11      171.345     16.14     1.43875      94.9      96.51      0.5343 
12     -324.922     14.46                            96.94      
13      210.803     15.62     1.497        81.5      93.72      0.5374 
14     -214.608      0.2                             94.46      
15      142.109      3.5      1.801        35        96.56      0.5863 
16       78.336     26.7      1.43875      94.9      94.89      0.5343 
17     -246.585      0.2                             95.07      
18      179.468     10.23     1.618        63.3      89.87      0.5441 
19    -2023.74      (可変)                           88.35      
20       55.9        2        1.755        52.3      41.08      0.5476 
21       35.913     10.36                            36.99      
22      -78.256      2        1.52249      59.8      36.27      0.5439 
23       42.527      8.31                            33.74      
24      -61.363      5.1      1.72047      34.7      33.48      0.5834 
25      -33.049      0.31                            34.03      
26      -32.374      2        1.618        63.3      34.03      0.5441 
27      870.836      0.2                             34.43      
28       89.773      5.1      1.72047      34.7      34.6       0.5834 
29     -344.862      (可変)                          34.15      
30      -80.267      1.7      1.7725       49.6      34.05      0.5521 
31      147.54       4.34     1.84666      23.8      35.37      0.6205 
32     -696.469      (可変)                          36.17      
33(絞り)    ∞       2.7                             37.4      
34     -253.572      5.35     1.79952      42.2      38.28      0.5672 
35      -95.73       0.2                             39.55      
36      280.253      5.24     1.79952      42.2      40.24      0.5672 
37     -345.579      0.2                             40.48      
38       77.65       8.55     1.79952      42.2      40.55      0.5672 
39     -111.847      1.94     1.78472      25.7      39.61      0.6161 
40       59.297      0.2                             38.02      
41       48.516      5.89     1.79952      42.2      38.13      0.5672 
42      110.671      (可変)                          37.03      
43       40.577      7.64     1.497        81.5      31.81      0.5374 
44      -80.968      1.7      1.883        40.8      31.01      0.5667 
45       78.43      18.22                            30.37      
46     -121.161      5.01     2.10205      16.8      31.84      0.6721 
47      -55.369      6.01                            32.51      
48      -63.074      1.7      1.883        40.8      30.51      0.5667 
49       35.155      8.86     1.497        81.5      31.08      0.5374 
50      -69.12       0.2                             32.33      
51       55.866     10.58     1.497        81.5      33.88      0.5374 
52      -38.265      1.7      1.883        40.8      33.87      0.5667 
53     -200.646     10                               34.84      
54       65.714      7.41     1.497        81.5      37.81      0.5374 
55     -191.292     50.01                  37.6      
像面      ∞                              
【００７２】
非球面データ
第1面
K = 0.00000e+000  A 4= 1.35934e-008  A 6= 8.99963e-014  
A 8= 4.24102e-015  A10=-1.29931e-018  A12=-8.50884e-023  
A14= 5.43011e-026  A16= 8.15368e-031  
第8面
K = 0.00000e+000  A 4= 7.30477e-008  A 6=-1.22157e-011  
A 8= 6.15167e-015  A10=-3.91571e-018  A12= 1.33529e-021  
A14=-1.55551e-025  A16=-1.79104e-029  
【００７３】
各種データ
ズーム比     5.00 
広角      望遠
焦点距離      25.00   125.00  
Fナンバー      2.90     2.90  
半画角（度）  29.42     6.44  
像高          14.10    14.10  
レンズ全長   447.97   447.97  
BF            50.01    50.01  
d19            5.02    71.06  
d29           63.88     4.28  
d32           11.46     5.02  
【００７４】
（数値実施例３）
単位 mm
面データ
面番号      r          d        nd         νd      有効径      部分分散比
1*    1979.818      4.5      1.7725      49.6      119.42      0.5521 
2       70.525     21.88                            97.35      
3    -3055.585      4.2      1.6516      58.5       96.81      0.5426 
4      188.714      1.03                            96.01      
5      133.087      9.11     1.80809     22.8       97.05      0.6307 
6      292.822      6.7                             95.69      
7      343.324      8.22     1.48749     70.2       94.31      0.5300 
8*   -1991.554      0.2                             93.12      
9      303.045      3.7      1.801       35         92.19      0.5863 
10     152.43       1.87                            91.81      
11     150.15      17.88     1.43875     94.9       92.8       0.5343 
12    -221.66      12.65                            93.25      
13     183.835     14.06     1.497       81.5       94.64      0.5374 
14    -295.875      3.02                            94.88      
15     189.117      3.5      1.801       35         93.4       0.5863 
16      86.018      3.01                            92.39      
17      91.895     23.23     1.43875     94.9       93.25      0.5343 
18    -178.243      0.2                             93.97      
19     837.656     10.02     1.618       63.3       91.74      0.5441 
20    -192.409      (可変)                          90.89      
21      44.745      2        1.7725      49.6       42.07      0.5521 
22      33.1        9.62                            37.84      
23     -84.409      2        1.60311     60.6       37.08      0.5414 
24      43.048      8.37                            34.3      
25     -64.638      5.11     1.72047     34.7       34         0.5834 
26     -35.52       1                               34.49      
27     -35.96       2        1.618       63.3       34.49      0.5441 
28     245.97       0.2                             34.77      
29      81.539      5.36     1.72047     34.7       34.9       0.5834 
30    -301.495      (可変)                          34.38      
31     -80.318      1.7      1.7725      49.6       33.39      0.5521 
32     147.269      4.28     1.84666     23.8       34.64      0.6205 
33    -700.231      (可変)                          35.41      
34(絞り)    ∞      2.7                             36.58      
35   -3324.834      5.46     1.788       47.4       37.73      0.5559 
36    -112.653      0.2                             38.67      
37     170.71       6.35     1.788       47.4       39.16      0.5559 
38   -1331.881      0.2                             39.11      
39      81.25       9.47     1.788       47.4       38.99      0.5559 
40    -107.619      1.94     1.84666     23.8       37.67      0.6205 
41      99.831      0.2                             36.51      
42      53.636      4.92     1.788       47.4       36.35      0.5559 
43      80.971     14.67                            35.02      
44      81.558      6.14     1.48749     70.2       30.72      0.5300 
45     -65.771      1.7      1.7725      49.6       29.73      0.5521 
46      84.473     25.14                            28.83      
47     124.257      6.57     1.80809     22.8       34.79      0.6307 
48     -61.573      2.98                            34.79      
49     -66.888      1.7      1.883       40.8       33.04      0.5667 
50      37.054      8.97     1.48749     70.2       32.92      0.5300 
51     -75.976      0.2                             33.75      
52      44.053     13.15     1.48749     70.2       34.66      0.5300 
53     -35.873      1.7      1.72047     34.7       33.73      0.5834 
54      54.692      0.19                            33.74      
55      42.881      8.83     1.48749     70.2       34.3       0.5300 
56    -107.414     50.01                            34.4      
像面      ∞                              
【００７５】
非球面データ
第1面
K = 0.00000e+000  A 4= 1.24561e-007  A 6= 1.57696e-011  
A 8=-7.63400e-015  A10= 2.60610e-019  A12= 7.57405e-022  
A14=-2.59399e-025  A16= 2.88441e-029  
第8面
K = 0.00000e+000  A 4= 2.55069e-007  A 6=-1.06432e-012  
A 8= 3.64496e-017  A10=-1.94551e-018  A12= 3.73889e-022  
A14= 9.60854e-026  A16=-3.60450e-029  
【００７６】
各種データ
ズーム比     5.00 
広角      望遠
焦点距離      25.00   125.00  
Fナンバー      2.90     2.90  
半画角（度）  29.42     6.44  
像高          14.10    14.10  
レンズ全長   443.38   443.38  
BF            50.01    50.01  
d20            5.06    69.93  
d30           61.26     4.31  
d33           13.03     5.11  
【００７７】
（数値実施例４）
単位 mm
面データ
面番号      r           d         nd         νd      有効径      部分分散比
1*      432.767      4.5      1.7725       49.6      118.09      0.5521 
2        65.993     25.24                             96.34      
3      -495.032      4.2      1.6516       58.5       95.71      0.5426 
4       236.471      1.02                             94.73      
5       133.328      9.67     1.80809      22.8       95.61      0.6307 
6       274.368      7.29                             94.23      
7       385.042      8.55     1.51633      64.1       92.78      0.5352 
8*     -892.608      0.2                              91.43      
9       343.814      3.7      1.801        35         90.66      0.5863 
10      160.452      1.59                             90.44      
11      151.965     17.24     1.43387      95.1       91.96      0.5373 
12     -238.649     10.92                             92.5      
13      198.14      13.14     1.497        81.5       94.37      0.5374 
14     -330.967      0.2                              94.6      
15      178.187      3.5      1.801        35         93.15      0.5863 
16       85.369      3.02                             92.06      
17       91.222     24.71     1.43875      94.9       93.01      0.5343 
18     -145.677      0.2                              93.69      
19      836.245     10.04     1.60311      60.6       91.52      0.5414 
20     -219.69      (可変)                            90.5      
21       49.511      2        1.755        52.3       41.04      0.5476 
22       34.913     10.16                             36.91      
23      -92.615      2        1.60311      60.6       36.19      0.5414 
24       43.519      8.36                             33.75      
25      -60.23       6.55     1.72047      34.7       33.49      0.5834 
26      -32.717      0.19                             34.04      
27      -32.207      2        1.618        63.3       34.04      0.5441 
28    13059.72       0.2                              34.45      
29       92.582      5.3      1.72047      34.7       34.61      0.5834 
30     -491.216      (可変)                           34.17      
31      -80.261      1.7      1.7725       49.6       33.98      0.5521 
32      147.719      4.33     1.84666      23.8       35.29      0.6205 
33     -695.671      (可変)                           36.09      
34(絞り)      ∞     2.7                              37.31      
35     1031.724      5.78     1.64         60.1       38.6       0.5370 
36     -107.504      0.2                              39.56      
37      155.82       5.82     1.64         60.1       40.15      0.5370 
38     -324.777      0.2                              40.17      
39       83.53       9.6      1.64         60.1       39.94      0.5370 
40      -62.159      1.94     1.68893      31.1       39         0.6003 
41      124.486      0.2                              37.66      
42       54.354      6.08     1.64         60.1       37.37      0.5370 
43      144.925     15.22                             35.96      
44     -178.238      5.85     1.80518      25.4       30.05      0.6161 
45      -39.251      1.7      1.7725       49.6       29.47      0.5521 
46       62.221     15.93                             28.35      
47       39.932      9.07     1.43875      94.9       35.24      0.5343 
48      -74.677      7.02                             35.08      
49     -147.149      1.7      1.883        40.8       32.6       0.5667 
50       38.25       8.1      1.43875      94.9       32.28      0.5343 
51      -87.205      0.2                              32.96      
52       59.175     13.12     1.43875      94.9       33.64      0.5343 
53      -27.36       1.7      1.72047      34.7       33.28      0.5834 
54     -117.714     10                                34.43      
55       68.728      3.35     2.10205      16.8       35.98      0.6721 
56      117.289     50.00                             35.44      
像面      ∞                              
【００７８】
非球面データ
第1面
K = 0.00000e+000  A 4= 8.18134e-008  A 6= 1.83903e-011  
A 8=-3.29387e-015  A10=-1.22476e-018  A12= 8.25305e-022  
A14=-2.16062e-025  A16= 2.41031e-029  
第8面
K = 0.00000e+000  A 4= 2.38793e-007  A 6=-1.45251e-012  
A 8= 1.91563e-015  A10=-2.50886e-018  A12= 2.46860e-022  
A14= 2.57993e-025  A16=-7.69453e-029  
【００７９】
各種データ
ズーム比     5.00 
広角      望遠
焦点距離      25.00   125.00  
Fナンバー      2.90     2.90  
半画角（度）  29.42     6.44  
像高          14.10    14.10  
レンズ全長   446.86   446.86  
BF            50.00    50.00  
d20            5.09    70.95  
d30           62.90     3.69  
d33           11.67     5.02  
【００８０】
（数値実施例５）
単位 mm
面データ
面番号     r         d        nd        νd     有効径   部分分散比
1      113.355     2.1     1.7725      49.6     62.1      0.5521 
2       41.229    12.23                         54.44     
3     -380.228     2       1.58913     61.1     54        0.5406 
4       98.397     7.84                         52.59     
5      -92.869     2       1.58913     61.1     52.58     0.5406 
6     -316.725     2.5                          53.54     
7      105.425     5.55    1.80518     25.4     55.19     0.6161 
8      825.973     1.72                         54.91     
9      160.201     9.38    1.497       81.5     54.33     0.5374 
10     -97.051    10.36                         53.59     
11     161.984     2       1.80518     25.4     42.99     0.6161 
12      47.482     9.7     1.497       81.5     40.74     0.5374 
13     969.234     0.15                         41.39     
14      86.414     9.28    1.48749     70.2     41.9      0.5300 
15    -126.274     0.15                         41.76     
16      64.28      5.18    1.72916     54.7     40.67     0.5444 
17     214.49     (可変)                        39.55     
18     154.05      1.15    1.7725      49.6     24.57     0.5521 
19      25.902     4.65                         22.57     
20     -76.39      1.08    1.58913     61.1     22.64     0.5406 
21      29.222     3.46    1.84666     23.8     23.28     0.6034 
22     233.703     3.4                          23.28     
23     -27.396     1       1.58913     61.1     23.32     0.5406 
24     -58.095     (可変)                       24.24     
25    -143.825     3.02    1.58913     61.1     25.12     0.5406 
26     -52.506     0.1                          25.71     
27      70.738     5.75    1.497       81.5     26.25     0.5374 
28     -35.435     1.08    1.834       37.2     26.24     0.5775 
29     -82.654     (可変)                       26.59     
30(絞り)     ∞    5.95                         26.48     
31      27.697     2       1.80518     25.4     26.36     0.6161 
32      21.684     4.2     1.7725      49.6     25.09     0.5521 
33      44.777     7.29                         24.23     
34     232.449     4.34    1.84666     23.8     22        0.6205 
35     -30.181     1.04    1.72047     34.7     21.49     0.5834 
36      31.827    10                            19.97     
37      52.921     9.61    1.497       81.5     19.1      0.5374 
38     -18.447     1.04    1.84666     23.8     17.91     0.6205 
39     -57.128     0.2                          18.8     
40      76.756     3.87    1.80809     22.8     19.68     0.6307 
41    -306.05     43.99                         20.21     
像面     ∞                         
【００８１】
各種データ
ズーム比     2.60 
広角     望遠
焦点距離      25.00    65.00  
Fナンバー      2.60     2.60  
半画角（度）   31.88    13.45  
像高          15.55    15.55  
レンズ全長   234.51   234.51  
BF            43.99    43.99  
d17            2.00    28.40  
d24           23.15     1.50  
d29            9.00     4.25  
【００８２】
【表１】
2015176118.tif 000004
【符号の説明】
【００８３】
Ｕ１：第１レンズ群      Ｕ２：第２レンズ群      Ｕ３：第３レンズ群
Ｕ４：第４レンズ群      Ｒｆ：前群      Ｒｂ：後群      Ｌｍ：正レンズ
ＳＰ：開口絞り
【図３】
2015176118.tif 000005
【図４】
2015176118.tif 000006
【図５】
2015176118.tif 000007
【図６】
2015176118.tif 000008
【図７】
2015176118.tif 000009
【図８】
2015176118.tif 000010
【図９】
2015176118.tif 000011
【図１０】
2015176118.tif 000012
【図１３】
2015176118.tif 000013
【図１】
2015176118.tif 000014
【図２】
2015176118.tif 000015
【図１１】
2015176118.tif 000016
【図１２】
2015176118.tif 000017